(57)【要約】【課題】情報を隠蔽・保護した書類を低コストで手間をかけずに作製可能な情報保護ラベル付きシートを提供する。【解決手段】本発明の情報保護ラベル付きシート１０は、印刷可能面を有する情報記載シート１１と、情報記載領域１３に貼り付けられて情報を隠蔽するとともに情報記載領域１３から剥離可能とされるラベル２０と、を備える。ラベル２０は、粘着剤層２４と、粘着剤層２４に剥離可能に重ねられた剥離シート２５と、を有する。情報記載シート１１には、情報記載領域１３を覆うように配置されたラベル２０の端部２１を差し込む差込部１４が形成され、かつ、剥離シート２５には、差込部１４に差し込まれる端部２１を含む領域２７と当該領域以外の他の領域２８とを分断する切断線２６が形成されていることを特徴とする。【選択図】図１
2011115982.tif 000002
【特許請求の範囲】
【請求項１】
情報を印刷可能な印刷可能面を有する情報記載シートと、前記情報記載シートの情報が記載された情報記載領域に貼り付けられて前記情報を隠蔽するとともに前記情報記載領域から剥離可能とされるラベルと、を備え、
前記ラベルは、前記情報記載領域に貼り付けられる粘着剤層と、前記粘着剤層に剥離可能に重ねられた剥離シートと、を有し、
前記情報記載シートには、前記情報記載領域を覆うように配置されたラベルの端部を差し込む差込部が形成され、かつ、
前記剥離シートには、前記差込部に差し込まれる端部を含む領域と当該領域以外の他の領域とを分断する切断線が形成されていることを特徴とする情報保護ラベル付きシート。
【請求項２】
前記ラベルは方形状をなす一方、前記情報記載シートには前記差込部が前記ラベルの角部を差込可能な位置に形成されていることを特徴とする請求項１に記載の情報保護ラベル付きシート。
【請求項３】
前記情報保護シートには、前記差込部が前記ラベルの隣り合う２つの角部を差し込み可能な位置に形成されていることを特徴とする請求項２に記載の情報保護ラベル付きシート。
【請求項４】
前記切断線は、前記剥離シートの略中央に形成されていることを特徴とする請求項１ないし請求項３のいずれか一項に記載の情報保護ラベル付きシート。
【発明の詳細な説明】
【技術分野】
【０００１】
本発明は、情報保護ラベル付きシートに関する。
【背景技術】
【０００２】
従来から、給与明細書などのように個人情報が記載されている書類は、プライバシーの保護のため、封筒などに入れて外側から見ることができない状態としてから配布される。しかしながら、このような方法をとる場合、情報等を印刷した書類とは別に封筒を用意する必要があるうえに、書類を封筒に入れる作業も必要であるので、手間とコストがかかるという問題がある。
【０００３】
そこで、近年では、個人情報を印刷したラベルシートを情報記載部分が内側に配されるように所定形状に折りたたんで剥離可能に接合することにより、カード状に加工したものが提案されている（例えば、特許文献１を参照）。
【０００４】
このような構成のものでは書類を封筒に入れる作業は必要ないが、情報を印刷する作業、シートを折りたたむ作業、およびカード状に加工する作業が必要であり、手間がかかる。
【先行技術文献】
【特許文献】
【０００５】
【特許文献１】特開２００６−３４７１３０号公報
【発明の概要】
【発明が解決しようとする課題】
【０００６】
コストをかけずに情報を隠蔽・保護した書類を作製する方法としては、個人情報が記載されている書類に情報を隠蔽するためのシールを貼り付ける方法がある。しかしながら、隠蔽したい情報が記載されている領域にシールを貼り付ける際の位置決めが困難であるという問題があった。
【０００７】
本発明は上記のような事情に基づいて完成されたものであって、情報を隠蔽・保護した書類を低コストで手間をかけずに作製できる情報保護ラベル付きシートを提供することを目的とする。
【課題を解決するための手段】
【０００８】
上記課題を解決するものとして、本発明は、情報を印刷可能な印刷可能面を有する情報記載シートと、前記情報記載シートの情報が記載された情報記載領域に貼り付けられて前記情報を隠蔽するとともに前記情報記載領域から剥離可能とされるラベルと、を備え、前記ラベルは、前記情報記載領域に貼り付けられる粘着剤層と、前記粘着剤層に剥離可能に重ねられた剥離シートと、を有し、前記情報記載シートには、前記情報記載領域を覆うように配置されたラベルの端部を差し込む差込部が形成され、かつ、前記剥離シートには、前記差込部に差し込まれる端部を含む領域と当該領域以外の他の領域とを分断する切断線が形成されていることを特徴とする情報保護ラベル付きシートである。
【０００９】
本発明の情報保護ラベル付きシートは、以下のようにして使用される。まず情報記載シートに、印刷などの方法により所定の情報を記載する。次に、情報記載シートの情報が記載された情報記載領域を覆う位置にラベルを配置し位置決めを行う。本発明においては、情報記載シートに、情報記載領域を覆うように配置されたラベルの端部を差し込む差込部が形成されているので、この差込部にラベルの端部を差し込むことにより、容易にラベルの位置決めを行うことができる。
【００１０】
次に、ラベルから剥離シートを剥離して情報記載シートにラベルを貼り付ける。本発明では、剥離シートに、差込部に差し込まれる端部を含む領域と、当該領域以外の他の領域とを分断する切断線が形成されているから、ラベルの端部を情報記載シートの差込部に差し込んだ状態のまま、他の領域の剥離シートを剥離除去することが可能である。つまり、本発明では、ラベルを所定位置に位置決めした状態で、他の領域の剥離シートを剥離して情報記載シートに貼り付けたのちに、差込部に差し込まれる端部を含む領域の剥離シートを剥がして情報記載シートに貼り付けることができ、これにより情報が隠蔽される。
【００１１】
したがって、本発明では、情報を隠蔽・保護した書類を、情報を記載したシートにラベルを貼りつけるだけで作成可能であるうえに、ラベルの位置決めが容易で、かつ、ラベルを位置決め状態としたままで貼り付け可能である。その結果、本発明によれば、情報を隠蔽・保護した書類を低コストで手間をかけずに作製できる情報保護ラベル付きシートを提供することができる。
【００１２】
本発明は以下の構成であってもよい。
前記ラベルは方形状をなす一方、前記情報記載シートには前記差込部が前記ラベルの角部を差込可能な位置に形成されていてもよい。このような構成とするとラベルの角部を差込部に差し込むだけで位置決めが完了するので、ラベルの位置決め作業を迅速かつ確実に行うことができる。
【００１３】
前記情報保護シートには、前記差込部が前記ラベルの隣り合う２つの角部を差し込み可能な位置に形成されていてもよい。このような構成とすると、２つの角部を含む領域が差込部により位置決めされ固定されるので、ラベルのずれが生じにくく、ラベルを貼付ける作業の効率が向上する。
【００１４】
前記剥離シートの切断線は、前記剥離シートの略中央に形成されていてもよい。剥離シートの切断線が情報記載シートの差込部に差し込まれる端部寄りに形成されたものや、差込部に差し込まれる端部とは反対側の端部寄りに形成されたものでは、分断された２つの剥離シートのいずれか一方の面積が他方よりも大きくなり、面積の大きいほうの剥離シートを除去して情報記載シートに貼り付ける際には、粘着剤層が手に付着したり、ラベル同士がくっつくなどの問題が生じやすく、貼り付け作業の効率が悪い。そこで上記のような構成とすると、ラベルの約半分の領域を情報記載シートに貼り付けてから、残り半分を貼り付けることができるので、上述の問題が生じにくく、作業効率にすぐれる。
【発明の効果】
【００１５】
本発明によれば、情報を隠蔽・保護した書類を低コストで手間をかけずに作製できる情報保護ラベル付きシートを提供することができる。
【図面の簡単な説明】
【００１６】
【図１】実施形態１で用いる情報記載シートの上面図
【図２】情報記載シートにラベルを位置決めした状態を示す一部斜視図
【図３】情報保護ラベル付きシートの一部断面図
【図４】情報記載シートにラベルの一部を貼り付ける様子を示す一部斜視図
【図５】図４の状態の一部断面図
【図６】ラベルに残った剥離シートを剥離して情報記載シートに貼り付ける様子を示す一部斜視図
【図７】ラベルにより情報が隠蔽された情報記載シートを示す一部斜視図
【図８】実施形態２の情報保護ラベル付きシートに用いる情報記載シートの一部を示す上面図
【図９】他の実施形態（１）で説明する剥離シートを備えるラベルを情報記載シートに貼り付けている様子を示す一部斜視図
【図１０】他の実施形態（２）で説明する情報保護ラベル付きシートの一部断面図
【発明を実施するための形態】
【００１７】
＜実施形態１＞
本発明の実施形態１を、図１ないし図７によって説明する。本実施形態は、本発明を、給与明細書３０を作成するためのシート１０に適用した例である。本実施形態の情報保護ラベル付きシート１０は、給与明細が印刷された情報記載シート１１（個人情報を印刷可能な情報記載シート１１に相当）と、当該情報記載シート１１の情報記載領域１３に貼り付けられて情報を隠蔽するラベル２０と、を備える。
【００１８】
本実施形態において、情報記載シート１１は図１に示すように、長方形状をなしており、給与明細が印刷されている面は印刷可能面である。情報記載シート１１の長手方向における略中央の位置には情報記載シート１１を切断可能なミシン目１２が形成されている。
【００１９】
さて、情報記載シート１１において、給与明細の記載された領域１３（情報記載領域１３）の左側縁には、直線状に形成されたスリット１４（差込部１４）が形成されている。スリット１４は情報記載領域１３ごとに２つずつ形成されており、ラベル２０の角部２１Ａが差し込まれた状態において、ラベル２０の角部２１Ａを横切るように斜め方向（情報記載シート１１の長手方向に交差する方向）に形成されている（図２を参照）。２つのスリット１４，１４はラベル２０の隣り合う角部２１Ａ，２１Ａを差込可能な位置に形成されている。
【００２０】
情報記載シート１１に貼り付けられるラベル２０は、図２に示すように方形状をなしており、その隣り合う２つの角部２１Ａが、情報記載シート１１のスリット１４に差し込み可能とされる。
【００２１】
ラベル２０は図３に示すように、４つの層２２，２３，２４，２５からなり、最も上側に形成された基材層２２と、基材層２２に疑似接着により剥離可能で再接着不可能に重ねられた透明フィルム２３と、透明フィルム２３に重ねられた透明な粘着剤層２４と、粘着剤層２４に剥離可能に重ねられた剥離シート２５と、から構成されている。
【００２２】
基材層２２は、例えば紙などの材料からなり、裏側（図３における下側）が黒色に加工されており、表側からの透視を不能としている。透明フィルム２３は、例えばポリエチレンなどの熱可塑性樹脂製であって、粘着剤層２４は、一般的な透明粘着剤からなるものである。剥離シート２５の粘着剤層２４側の面は、シリコン処理等により粘着剤層２４から容易に剥離することができるようになっている。
【００２３】
そして、剥離シート２５には、粘着剤層２４から剥離シート２５の一部を剥離可能とする切断線２６が形成されている。本実施形態において、剥離シート２５の切断線２６は、スリット１４に差し込まれる端部２１を含む領域２７と、当該領域以外の他の領域２８（差込部１４に差し込まれる端部２１を含まない領域２８）と、を分断するように形成されている。本実施形態において、剥離シート２５の切断線２６は、図２に示すように、剥離シート２５の長手方向における略中央に、剥離シート２５の短辺に対して略平行に形成されている。
【００２４】
本実施形態の情報保護ラベル付きシート１０は以下のようにして使用する。
給与明細を印刷した情報記載シート１１の情報記載領域１３にラベル２０の端部２１を突き当てて、位置決めを行う。本実施形態では、図２に示すように、情報記載シート１１にラベル２０の隣り合う２つの角部２１Ａを差し込み可能なスリット１４が２つ形成されているので、２つのスリット１４にラベル２０の２つの角部２１Ａを差し込むことにより、容易にラベル２０の位置決めを行うことができる。
【００２５】
次に、図４および図５に示すように、ラベル２０の端部２１（角部２１Ａ）を情報記載シート１１のスリット１４に差し込んだ状態のまま、切断線２６に沿って剥離シート２５の右側の領域２８（他の領域２８）を剥離・除去して粘着剤層２４を露出させ、ラベル２０を情報記載シート１１の情報記載領域１３に貼り付ける。
【００２６】
次に、図６に示すように、スリット１４に差し込まれたラベル２０の角部２１Ａ，２１Ａをスリット１４から引き出して、剥離シート２５の左側の領域２７（差込部１４に差し込まれる端部を含む領域２７）に残っている剥離シート２５を剥離・除去して情報記載シート１１の情報記載領域１３に貼り付けると、図７に示すように情報記載領域１３がラベル２０により隠蔽された給与明細書３０（情報が隠蔽・保護された書類３０）が得られる。
【００２７】
このようにして作成された給与明細書３０を受け取った者は、給与明細書３０からラベル２０をはがし取ることにより、ラベル２０により隠蔽されていた情報を読み取ることができる。本実施形態では、基材層２２に疑似接着により透明フィルム２３が重ねられているから、ラベル２０を給与明細書３０からはがすと、基材層２２を再接着するのは不可能であり、ラベル２０をはがした履歴が残る。これにより他人が個人情報を盗み見ることを防止することができる。
【００２８】
次に本実施形態の効果について説明する。
本実施形態によれば、給与明細書３０（情報が隠蔽・保護された書類３０）を、情報記載シート１１にラベル２０を貼りつけるだけで作成可能であるとともに、ラベル２０の位置決めが容易で、かつ、ラベル２０を位置決め状態としたままで貼り付け可能である。その結果、本実施形態によれば、低コストで手間をかけずに作製できる情報保護ラベル付きシート１０を提供することができる。
【００２９】
特に、本実施形態では、情報記載シート１１にラベル２０の隣り合う２つの角部２１Ａ，２１Ａを差し込むスリット１４，１４が形成されており、ラベル２０の角部２１Ａを情報記載領域１３に形成されたスリット１４に差し込むことにより、ラベル２０の位置決めが完了するので、ラベル２０の位置決め作業を迅速かつ確実に行うことができる。また、本実施形態では、２つの角部２１Ａ，２１Ａを含む領域２７がスリット１４により位置決めされ固定されるので、ラベル２０のずれが生じにくく、ラベル２０を貼付ける作業の効率が向上する。
【００３０】
ところで、剥離シート２５の切断線２６が情報記載シート１１のスリット１４に差し込まれる端部２１寄りに形成されたものなどでは、切断線２６により分断された剥離シート２５の２つの領域のうちいずれか一方の面積が他方よりも大きくなり、面積の大きいほうの剥離シート２５を除去して情報記載シート１１に貼り付ける際には、粘着剤層２４が手に付着したり、ラベル２０同士がくっつくなどの問題が生じやすく、貼り付け作業の効率が悪い。これに対して本実施形態では、剥離シート２５の切断線２６が剥離シート２５の略中央に形成されているから、ラベル２０の約半分の面積を有する右側の領域２８（他の領域２８）を情報記載シート１１に貼り付けてから、残り半分の左側の領域２７（差込部に差し込まれる端部を含む領域２７）を貼り付けることができるので、上述の問題が生じにくく、作業効率にすぐれる。
【００３１】
＜実施形態２＞
本発明の実施形態２を図８によって説明する。
本実施形態の情報保護ラベル付きシート１０は、差込部１４の形状が実施形態１とは相違する。なお、実施形態１と同様の構成には同一符号を付して重複する説明を省略する。
本実施形態においては情報記載シート１１には、円弧状をなす差込部１４がラベル２０の一辺２１（端部２１）を差し込み可能に形成されている。また、本実施形態では、情報記載シート１１に、情報記載領域１３を覆うように配置されたラベル２０の２つの角部２１Ａ，２１Ａが配置されるＬ字状の位置決め部１５が２つ印刷されている。その他の構成は実施形態１と概ね同じである。
【００３２】
本実施形態の情報保護ラベル付きシート１０を使用する際には、ラベル２０を差込部１４に差し込んでラベル２０の２つの角部２１Ａをそれぞれ対応する位置決め部１５，１５に一致するように配置することにより、位置決めされる。
以上より、本実施形態によれば、差込部１４と位置決め部１５が形成されているから、ラベル２０の位置決めを容易に行うことができる。
【００３３】
＜他の実施形態＞
本発明は上記記述及び図面によって説明した実施形態に限定されるものではなく、例えば次のような実施形態も本発明の技術的範囲に含まれる。
（１）上記実施形態では、情報記載シート１１には、直線状の差込部あるいは円弧状の差込部を情報記載領域ごとに２つずつ形成したものを示したが、差込部の形状はＬ字状のスリットであってもよいし、１ｃｍ×０．５ｍｍ程度の長方形の孔であってもよい。また、差込部を１つの情報記載領域について１つあるいは３以上形成してもよい。
（２）上記実施形態では、切断線を剥離シートの略中央に１本形成したものを示したが、切断線を２本以上形成してもよい。また、図９に示すように、切断線２６を剥離シート２５の端部２１寄りに形成してもよい。このような構成の剥離シート２５では差込部１４に差し込まれる端部を含む領域２７よりも他の領域２８の面積が大きくなる。なおこのような構成の剥離シート２５を備えるラベル２０においては、図９に示すように、剥離シート２５の右側の領域２８を剥がして情報記載シート１１に貼り付けた後、差込部１４に差し込まれる端部側の領域２７に残った剥離シート２５は剥離・除去せず残した状態にしてもよい。
【００３４】
（３）上記実施形態では、基材層と、基材層に疑似接着により剥離可能で再接着不可能に重ねられた透明フィルムと、粘着剤層と、剥離シートと、から構成されている４層構造のラベルを示したが、本発明で用いるラベルはこれに限定されない。本発明では、図１０に示すように、基材層２２と粘着剤層２４と剥離シート２５との３層から構成され、粘着剤層２４が情報記載シート１１に貼付け可能であるとともに情報記載シート１１から再剥離可能であるラベル２０を用いてもよい。
【００３５】
（４）上記実施形態では、情報記載シートとラベルがともに方形状をなすものを示したが、情報記載シートおよびラベルは円形のものなどであってもよい。ラベルは情報記載領域を隠蔽可能な形状であればよく、情報記載シートにはラベルの端部を差し込み可能な差込部が形成されていればよい。
【符号の説明】
【００３６】
１０…情報保護ラベル付きシート（給与明細書を作成するためのシート）
１１…情報記載シート
１３…情報記載領域
１４…差込部（スリット）
２０…ラベル
２１…（ラベルの）端部
２１Ａ…（ラベルの）角部
２２…基材層
２３…透明フィルム
２４…粘着剤層
２５…剥離シート
２６…切断線
２７…差込部に差し込まれる端部を含む領域
２８…他の領域
３０…給与明細書（情報を隠蔽・保護した書類）
【図１】
2011115982.tif 000003
【図２】
2011115982.tif 000004
【図３】
2011115982.tif 000005
【図４】
2011115982.tif 000006
【図５】
2011115982.tif 000007
【図６】
2011115982.tif 000008
【図７】
2011115982.tif 000009
【図８】
2011115982.tif 000010
【図９】
2011115982.tif 000011
【図１０】
2011115982.tif 000012